(57)【要約】【課題】より高品質でかつ簡易に立体画像を表示できる偏光モジュール及び画像表示装置を提供すること。【解決手段】偏光板１と、偏光板１上に配置され、偏光板１の偏光軸に対して、遅相軸が４５度傾くように配置された第１の１／４波長板２と、偏光板１の偏光軸に対して、第１の１／４波長板２の遅相軸とは反対方向に遅相軸を４５度傾けて、第１の１／４波長板２と交互に配置された第２の１／４波長板３と、を含んで偏光モジュール１００を構成する。また、偏光モジュール１００は、第１の１／４波長板２及び第２の１／４波長板３の配列方向に対して交差する方向に、第１の１／４波長板２及び第２の１／４波長板３上に所定の間隔で配列された１／２波長板４と、を含む。また、右目用の画像を表示する第１の画素領域と、左目用の画像を表示する第２の画素領域と、を有する表示パネル１０上に、偏光モジュール１００を配置することで画像表示装置３００を構成する。【選択図】図１
2013019924.tif 000002
【特許請求の範囲】
【請求項１】
偏光板と、
前記偏光板上において所定間隔離してそれぞれ配置され、前記偏光板の偏光軸に対して、遅相軸が４５度傾くように配置された複数の第１の１／４波長板と、
前記偏光板上に前記第１の１／４波長板と交互に配置され、前記偏光板の偏光軸に対して、前記第１の１／４波長板の前記遅相軸とは反対方向に遅相軸を４５度傾くように配置された複数の第２の１／４波長板と、
前記複数の第１の１／４波長板及び前記複数の第２の１／４波長板の配列方向に対して交差する方向に、前記複数の第１の１／４波長板及び前記複数の第２の１／４波長板上に所定の間隔離してそれぞれ配置された複数の１／２波長板と、
を含む
偏光モジュール。
【請求項２】
前記複数の１／２波長板上に配置され、光学的等方性を有する透明な樹脂板を備える請求項１に記載の偏光モジュール。
【請求項３】
前記複数の第１の１／４波長板及び前記複数の第２の１／４波長板上において、前記複数の１／２波長板のそれぞれの間に配置され、前記複数の第１の１／４波長板及び前記複数の第２の１／４波長板と、前記樹脂板とを固着する複数の透明両面粘着テープを備える請求項２に記載の偏光モジュール。
【請求項４】
前記１／２波長板の前記樹脂板側の主面に設けられた反射防止膜を備える請求項３に記載の偏光モジュール。
【請求項５】
前記樹脂板は、透明両面粘着テープによって、前記複数の１／２波長板に固着された請求項２に記載の偏光モジュール。
【請求項６】
前記複数の第１の１／４波長板及び前記複数の第２の１／４波長板上において、前記１／２波長板が配置されない箇所に設けられた反射防止膜を備える請求項５に記載の偏光モジュール。
【請求項７】
右目用の画像を表示する第１の画素領域と、左目用の画像を表示する第２の画素領域とが、交差する二方向に交互に配置された表示パネルと、
前記表示パネル上に配置され、偏光板と、前記偏光板上において所定間隔離してそれぞれ配置され、前記偏光板の偏光軸に対して、遅相軸が４５度傾くように配置された複数の第１の１／４波長板と、前記偏光板上に前記第１の１／４波長板と交互に配置され、前記偏光板の偏光軸に対して、前記第１の１／４波長板の前記遅相軸とは反対方向に遅相軸を４５度傾くように配置された複数の第２の１／４波長板と、前記複数の第１の１／４波長板及び前記複数の第２の１／４波長板の配列方向に対して交差する方向に、前記複数の第１の１／４波長板及び前記複数の第２の１／４波長板上に所定の間隔離してそれぞれ配置された複数の１／２波長板と、を含み、前記偏光板の前記１／２波長板側とは反対側の表面に前記表示パネルが取り付けられた偏光モジュールと、
を含む
画像表示装置。
【請求項８】
前記画素は、ＬＥＤまたは有機ＥＬ等の自発光素子により構成される請求項７に記載の画像表示装置。
【請求項９】
前記偏光モジュールの前記第２の１／４波長板と前記１／２波長板とが重なる領域と、前記第１の１／４波長板上において、前記１／２波長板が配置されない領域と、に対向して、前記表示パネルの前記第１の画素領域が配置され、前記偏光モジュールの前記第１の１／４波長板と前記１／２波長板とが重なる領域と、前記第２の１／４波長板上において、前記１／２波長板が配置されない領域と、に対向して、前記表示パネルの前記第２の画素領域が配置される請求項８に記載の画像表示装置。
【発明の詳細な説明】
【技術分野】
【０００１】
本技術は、立体画像を表示するための偏光モジュール、及び、これを用いた画像表示装置に関する。
【背景技術】
【０００２】
近年、立体画像を提供する画像表示装置の開発が進められている。こうした画像表示装置では、右目と左目との間の視差に対応した画像がそれぞれ表示される。観察者は、例えばこの右目用の画像からの光を選択透過するフィルタと、左目用の画像からの光を選択透過するフィルタとが、右目用レンズ及び左目用レンズにそれぞれ設けられたメガネをかけることで、立体画像を視認することができる。
【０００３】
例えば、右目用の画像及び左目用の画像は、上述のフィルタ等によってどちらか一方を選択可能にするために、偏光方向が互いに異なる光によってそれぞれ表示される。（例えば下記特許文献１参照）。
例えば、下記特許文献１では、回転方向が互いに異なる二つの円偏光を用いることにより、右目用の画像と左目用の画像を分けることが開示されている。
【０００４】
すなわち、平面パネル表示器を出た光は、まず直線偏光に変換される。そして、この直線偏光は、１／４波長板と３／４波長板とが所定の一方向に交互に配列された波長板を透過する。この直線偏光は、１／４波長板と３／４波長板とのどちらか一方の波長板を透過することにより、互いに回転方向が異なる２種類の円偏光が観察者に提供される。
また、観察者は、右目用の円偏光のみを透過する偏光フィルタ、及び、左目用の円偏光のみを透過する偏光フィルタが、それぞれ右目用レンズ及び左目用レンズに配置されたメガネをかけることで、立体画像を視認する。
上述のこの手法はいわゆるラインバイライン方式と呼ばれるものであり、偏光板上において、１／４波長板と３／４波長板とが例えば一行毎に交互に配置される。
【０００５】
このような波長板の配置方法以外に、偏光方向が互いに直交する偏光特性を有する２つの領域を、市松模様状に形成した偏光板を用いる方法もある（例えば、下記特許文献２参照）。
この方法では、右目用の画像を表示する領域と、左目用の画像を表示する領域とが、市松模様状に配置される。
【先行技術文献】
【特許文献】
【０００６】
【特許文献１】特開平４−２６３５９６号公報
【特許文献２】特開昭６１−１５６０２１号公報
【発明の概要】
【発明が解決しようとする課題】
【０００７】
このように、立体画像を表示するために様々な方法が提案されている。しかし、この分野においては、依然として高い品質での画像表示は容易ではなく、そのためには高いコストが必要とされている。
【０００８】
上述のような点を鑑みて、本技術は、より高品質でかつ簡易に立体画像を表示することができる偏光モジュール及び画像表示装置を提供することを目的とする。
【課題を解決するための手段】
【０００９】
上記課題を解決するために、本技術の偏光モジュールは、偏光板と、偏光板上において所定間隔離してそれぞれ配置され、偏光板の偏光軸に対して、遅相軸が４５度傾くように配置された複数の第１の１／４波長板と、を含む。
また、本技術の偏光モジュールは、偏光板上に第１の１／４波長板と交互に配置され、偏光板の偏光軸に対して、第１の１／４波長板の遅相軸とは反対方向に遅相軸を４５度傾くように配置された複数の第２の１／４波長板も含む。
さらに、本技術の偏光モジュールは、複数の第１の１／４波長板及び複数の第２の１／４波長板の配列方向に対して交差する方向に、複数の第１の１／４波長板及び複数の第２の１／４波長板上に所定の間隔離してそれぞれ配置された複数の１／２波長板を含む。
【００１０】
また、本技術の画像表示装置は、右目用の画像を表示する第１の画素領域と、左目用の画像を表示する第２の画素領域と、を有する表示パネルと、この表示パネル上に配置された上述の偏光モジュールとを含む。
【００１１】
本技術の偏光モジュール及び画像表示装置によれば、複数の第１の１／４波長板及び複数の第２の１／４波長板上において、複数の第１の１／４波長板及び複数の第２の１／４波長板の配列方向に対して交差する方向に、複数の１／２波長板が配置される。このため、右目用の画像表示領域と左目用の画像表示領域とが、互い交差する二方向に交互に配置される。
【発明の効果】
【００１２】
本技術の偏光モジュール及び画像表示装置によれば、右目用の画像表示領域と左目用の画像表示領域とを、互い交差する二方向に交互に簡易に配置することができる。このため、垂直方向及び水平方向の画像解像度を同程度にしてバランスをとることができ、画像の品質を向上できる。
【図面の簡単な説明】
【００１３】
【図１】図１Ａ、図１Ｂ、図１Ｃは、本技術の第１の実施形態に係る偏光モジュールの構成を示す概略構成図である。
【図２】本技術の第１の実施形態に係る偏光モジュールにおいて、右目用、及び、左目用の画像表示領域を示す図である。
【図３】本技術の第１の実施形態に係る偏光モジュールを表示パネルに取り付ける状態を示す図である。
【図４】図４Ａ、図４Ｂ、図４Ｃは、比較例に係る偏光モジュールの構成を示す図である。
【図５】図５Ａ、図５Ｂ、図５Ｃは、第２の実施形態に係る偏光モジュールの構成を示す図である。
【図６】第３の実施形態に係る画像表示装置を示す図である。
【発明を実施するための形態】
【００１４】
以下、本技術を実施するための形態の例を説明するが、本技術は以下の例に限定されるものではない。
説明は以下の順で行う。
１．第１の実施形態（１／４波長板と樹脂板とを固着させる例）
２．第２の実施形態（１／２波長板と樹脂板とを固着させる例）
３．第３の実施形態（画像表示装置の例）
【００１５】
１．第１の実施形態（１／４波長板と樹脂板とを固着させる例）
図１Ａ〜図１Ｃは、第１の実施形態に係る偏光モジュール１００の構成を示す概略構成図である。図１Ａは、偏光モジュール１００を、一方の主面に垂直な方向（Ｚ軸方向）から見た図であり、図１Ｂは、偏光モジュール１００をＹ軸方向から見た図である。また、図１Ｃは、偏光モジュール１００をＸ軸方向から見た図である。
【００１６】
本実施形態の偏光モジュール１００は、偏光板１と、偏光板１の一方の主面上に配置された複数の第１の波長板２及び複数の第２の波長板３と、を備える。
また、さらに本実施形態の偏光モジュール１００は、複数の第１の波長板２及び複数の第２の波長板３上に配置された複数の第３の波長板４と、複数の透明な両面粘着テープ５と、を備える。
なお、この複数の第３の波長板４上には樹脂板６が配置されるが、図１Ａでは、説明を簡略化するために、樹脂板６の図示を省略している。
【００１７】
偏光板１は、所定の偏光方向の光のみを透過させるものであれば、任意のものを用いることができる。例えば、画像表示装置に用いられる代表的な偏光板は、ヨウ素または二色性色素等の二色性物質を含有し、ポリビニールアルコール（ＰＶＡ）を主成分とする樹脂を一軸延伸したフィルムと、このフィルムの両面に張り合わせた保護膜とによって構成される。本実施形態の偏光板１は、これと同様の構成であってよい。
【００１８】
偏光板１の一方の主面上には、複数の第１の波長板２と複数の第２の波長板３とが配置される。第１の波長板２及び第２の波長板３は、偏光板１に対して、例えば光学接着剤、紫外線硬化樹脂、光学弾性樹脂、光学粘着テープ等によって固着される。
【００１９】
第１の波長板２及び第２の波長板３には、同一の１／４波長板を用いることができる。
ただし、第１の波長板２は、その遅相軸が、偏光板１の偏光軸に対して例えば＋４５°傾けて配置されるのに対し、第２の波長板３は、その遅相軸が、偏光板１の偏光軸に対して−４５°傾けて配置される。すなわち、第２の波長板３の遅相軸は、偏光板１の偏光軸に対し、第１の波長板２の遅相軸とは逆方向に４５°傾けて配置される。
したがって、第１の波長板２の表裏をひっくり返して偏光板１上に配置したものが第２の波長板３である。
【００２０】
また、図１Ａに示すように、第１の波長板２及び第２の波長板３は、例えば長方形の主面を有しており、その短辺方向（図１ＡのＹ軸方向）に第１の波長板２と第２の波長板３とが交互に配列される。
なお、隣り合う第１の波長板２と第２の波長板３との間に隙間が開いていると、偏光板１と第３の波長板４（もしくは両面粘着テープ５）との間には空気層が存在することになる。すると、偏光板１と空気層との界面において光の反射が生じやすくなり、反射された光が別の像を形成する（映りこみ）恐れがある。
したがって、隣り合う第１の波長板２と第２の波長板３との間の隙間は、極力設けないようにすることが好ましい。
【００２１】
第１の波長板２及び第２の波長板３上には、複数の第３の波長板４及び複数の透明な両面粘着テープ５が配置される。第３の波長板４は１／２波長板であり、その遅相軸は、第１の波長板２または第２の波長板３のどちらか一方の遅相軸と同一方向を向く。
また、第３の波長板４は、例えば長方形の主面を有しており、第３の波長板４の短辺方向に、第３の波長板４と透明な両面粘着テープ５とが交互に配列される。また、この第３の波長板４及び両面粘着テープ５の配列方向は、第１の波長板２及び第２の波長板３の配列方向と交差（直交）する。
【００２２】
また、複数の第１の波長板２及び第２の波長板３上には、光透過性を有する透明な樹脂板６が配設される。この樹脂板６は、光学的等方性を有していることが好ましい。これにより、第１の波長板２及び第２の波長板３をそれぞれ透過した偏光に影響を与えることなく、第１の波長板２及び第２の波長板３を保護することができる。
光学的等方性を有する樹脂板６の材料としては、例えばポリメチルメタクリレート（ＰＭＭＡ）等が挙げられる。こうした樹脂板６は、例えばガラス板等に比べて軽く、かつ割れにくいので、大画面の表示パネルに偏光モジュール１００を取り付ける場合において特に有効である。
【００２３】
この樹脂板６は、第１の波長板２及び第２の波長板３に対して両面粘着テープ５により固着される。樹脂板６を両面粘着テープ５に確実に密着させるために、両面粘着テープ５の厚さは、第３の波長板４よりも厚くすることが好ましい。
複数の第３の波長板４上に樹脂板６を配設することにより、偏光モジュール１００の表面を平坦化することができる。
【００２４】
また、樹脂板６の表面には、例えば反射防止膜、紫外線カット膜、ハードコート膜等の機能性膜を形成してもよい。
また、樹脂板６の成型時において、予め微細な凹凸形状を樹脂板６の表面に形成することにより防眩処理を施してもよい。
樹脂板６を偏光モジュール１００の表面に設けることによって、上述のような各種表面加工を容易に施すことが可能となる。特に、紫外線カット機能を樹脂板６に付与することで、比較的紫外線に対する耐性が低い第１の波長板２及び第２の波長板３（１／４波長板）を保護することができるので好ましい。また、樹脂板６内に紫外線カット剤を含有させることも可能である。
【００２５】
なお、両面粘着テープ５は樹脂板６に密着しているので、両面粘着テープ５と樹脂板６との間には空気層が介在しないが、第３の波長板４と樹脂板６との間には、薄い空気層が存在し得る。第３の波長板４と樹脂板６との間に空気層が存在すると、空気層と第３の波長板４との界面、あるいは、空気層と樹脂板６との界面において光の反射が生じやすくなる。したがって、第３の波長板４の樹脂板６側の主面には、反射防止膜を形成することが好ましい。また、樹脂板６の波長板４側の主面にも反射防止膜を形成することができる。
【００２６】
図２は、本実施形態の偏光モジュール１００の樹脂板６上において、例えば右目用の画像の光が出射する領域Ｔ１及びＴ３と、左目用の画像の光が出射する領域Ｔ２及びＴ４とを示す模式図である。
例えば、樹脂板６の主面に垂直な方向（Ｚ軸方向）から見て、第２の波長板３と第３の波長板４とが重なる領域が領域Ｔ１であり、第１の波長板２と両面粘着テープ５とが重なる領域が領域Ｔ３である。
また、第１の波長板２と第３の波長板４とが重なる領域が領域Ｔ２であり、第２の波長板３と両面粘着テープ５とが重なる領域が領域Ｔ４である。
すなわち、樹脂板６上において、右目用の画像の光が出射される領域と左目用の画像の光が出射される領域とは互いに直交する二軸方向（図２中Ｘ軸方向及びＹ軸方向）のそれぞれにおいて交互に位置する。
【００２７】
図３に示すように、この偏光モジュール１００は、表示パネル１０の画像表示面側に重ねて取り付けられる。このとき、偏光モジュール１００は、表示パネル１０に対して偏光板１側を重ねて配置される。表示パネル１０から発せられた光は、矢印Ａ１に示すように、偏光モジュール１００を透過して、観察者の目に届く。
表示パネル１０の画像表示面には、例えばＲ（red），Ｇ（green），Ｂ（blue）の３原色の画素がマトリクス状に配設されている。この画素は、例えば液晶表示画素であってもよいし、大面積の表示画面を構成する場合には、ＬＥＤ（Light Emitting Diode）または有機ＥＬ（Organic Electro-Luminescence）等の自発光素子であってもよい。
【００２８】
また、これらの画素のうち、表示パネル１０の領域Ｒ１に位置する画素は、右目用の画像を表示し、領域Ｌ１に位置する画素は、左目用の画像を表示する。この領域Ｒ１及び領域Ｌ１は、表示パネル１０の画像表示面内において、互いに交差（直交）する二方向のそれぞれにおいてに交互に配置される。
表示パネル１０上に偏光モジュール１００を重ねることにより、領域Ｒ１の画素上には、偏光モジュール１００の領域Ｔ１、Ｔ３が配置され、領域Ｌ１の画素上には、偏光モジュール１００の領域Ｔ２、Ｔ４が配置される。
なお、図１Ａ〜図１Ｃ、図２及び図３では、偏光モジュール１００と表示パネル１０とを模式的に表してあり、第１の波長板２、第２の波長板３、画素等の各種構成部材のサイズ、配置数等は適宜変更される。また、表示パネル１０の領域Ｒ１及びＬ１に配置する画素数も適宜変更してよい。
【００２９】
例えば、表示パネル１０の領域Ｒ１に位置する画素から発せられた光のうち、偏光モジュール１００の領域Ｔ１に入射した光は、偏光板１を透過することにより、直線偏光となる。直線偏光となった領域Ｔ１における光は、第２の波長板３を透過することにより、円偏光（例えば、説明のため、ここでは右回りとする）となる。そして、第２の波長板３を透過した光は、第３の波長板４を透過することにより、逆回りの円偏光（左回り）となって偏光モジュール１００から出射する。
【００３０】
また、表示パネル１０の領域Ｒ１に位置する画素から発せられた光のうち、偏光モジュール１００の領域Ｔ３に入射した光は、偏光板１を透過することにより、直線偏光となる。直線偏光となったこの光は、第１の波長板２を透過することにより、円偏光（左回り）となる。そして、この円偏光は、両面粘着テープ５及び樹脂板６を透過して偏光モジュール１００から出射する。
すなわち、偏光モジュール１００の領域Ｔ１、Ｔ３を透過した光は、回転方向が互いに同じ円偏光となる。
【００３１】
一方、表示パネル１０の領域Ｌ１に位置する画素から発せられた光のうち、偏光モジュール１００の領域Ｔ２に入射した光は、偏光板１を透過することにより、直線偏光となる。直線偏光となったこの光は、第１の波長板２を透過することにより、円偏光（左回り）となる。そして、この円偏光は、第３の波長板４を透過することにより、回転方向が逆回り（右回り）の円偏光となって、偏光モジュール１００から出射する。
【００３２】
また、表示パネル１０の領域Ｌ１に位置する画素から発せられた光のうち、偏光モジュール１００の領域Ｔ４に入射した光は、偏光板１を透過することにより、直線偏光となる。直線偏光となったこの光は、第２の波長板３を透過することにより、円偏光（右回り）となる。そして、この円偏光は、両面粘着テープ５及び樹脂板６を透過して偏光モジュール１００から出射する。
すなわち、偏光モジュール１００の領域Ｔ２、Ｔ４を透過した光は、領域Ｔ１、Ｔ３を透過した光とは回転方向が逆向きの円偏光となる。
【００３３】
観察者は、領域Ｌ１の画素領域（領域Ｔ２、Ｔ４）からの円偏光を透過する円偏光フィルタが左目用レンズに対して配置され、領域Ｒ１の画素領域（領域Ｔ１、Ｔ３）からの円偏光を透過する円偏光フィルタが右目用レンズに対して配置されたメガネをかける。これにより、観察者は立体画像を視認することができる。
【００３４】
このように、本実施形態の偏光モジュール１００では、表示パネル１０に配置された、右目用の画像を表示する領域Ｒ１から出射した光と、左目用の画像を表示する領域Ｌ１から出射した光とを、互いに回転方向が異なる円偏光に変換することができる。
特に、本実施形態の偏光モジュール１００では、例えば右目用の円偏光が出射する領域（領域Ｔ１、Ｔ３）と、左目用の円偏光が出射する領域（領域Ｔ２、Ｔ４）とが、互いに直交する二方向に交互に配置される。このため、垂直解像度と水平解像度とを同程度の値にすることができ、従来に比べて、垂直方向（Ｙ軸方向）の画像解像度を高めることが可能である。また、これにより、垂直解像度と水平解像度のバランスをとることができる。
【００３５】
例えば、従来のラインバイライン方式により、右目用の画像を表示する領域を画素の奇数行に割り当て、左目用の画像を表示する領域を画素の偶数行に割り当てる場合を考える。この場合、垂直方向（列方向、Ｙ軸方向）には、右目用の画像表示領域と左目用の画像表示領域とが交互に並ぶことになる。したがって、通常の２Ｄ画像に比べると、垂直解像度は１／２に低下することになる。
【００３６】
一方で、本実施形態の偏光モジュール１００を用いる場合には、水平方向（行方向、Ｘ軸方向）及び垂直方向（列方向、Ｙ軸方向）の両方において、右目用の画像を表示する領域と左目用の画像を表示する領域が交互に配置される。
例えば、図２に示す領域Ｔ１、Ｔ３のように、奇数行では領域Ｔ３において右目用の画像が表示され、偶数行では、領域Ｔ１において右目用の画像が表示される。また、奇数行では領域Ｔ２において左目用の画像が表示され、偶数行では、領域Ｔ４において左目用の画像が表示される。
すなわち、全ての行において、右目用及び左目用の両方の画像が表示される。したがって、垂直解像度が水平解像度にくらべて半減するといった、ラインバイライン方式における画像解像度の偏りを解消し、両者のバランスをとることが可能である。また、斜め方向における画像を滑らかに表現することができる。
【００３７】
ところで、右目用の画像と左目用の画像とを、互いに直交する二方向のそれぞれにおいて、交互に表示させる場合には、遅相軸が互いに直交する２種類の１／４波長板を、互いに直交する二方向に、交互に配置する手法を用いることも可能である。
例えば、図４Ａ〜図４Ｃに、この場合における偏光モジュール１１０を比較例として示す。図４Ａは、偏光モジュール１１０を、一方の主面に垂直な方向（Ｚ軸方向）から見た図であり、図４Ｂは、偏光モジュール１１０をＹ軸方向から見た図である。また、図４Ｃは、偏光モジュール１１０をＸ軸方向から見た図である。
【００３８】
この比較例に係る偏光モジュール１１０は、偏光板１ａと、偏光板１ａの一方の主面上に配置された複数の第１の波長板２ａ及び複数の第２の波長板３ａと、複数の第１の波長板２ａ及び複数の第２の波長板３ａ上に配置された透明な樹脂板６ａと、を備える。
【００３９】
第１の波長板２ａ及び第２の波長板３ａは、例えば正方形に近い主面を有している。この第１の波長板２ａ及び第２の波長板３ａは１／４波長板であり、第１の波長板２ａの遅相軸は、偏光板１ａの偏光軸に対して所定方向に４５°傾けて配置される。また、第２の波長板３ａの遅相軸は、偏光板１ａの偏光軸に対して、第１の波長板２ａの遅相軸とは逆方向に４５°傾けて配置される。
また、第１の波長板２ａ及び第２の波長板３ａは、Ｘ軸方向及びＹ軸方向に対して、交互に配置される。
【００４０】
このように第１の波長板２ａ及び第２の波長板３ａを配置することで、偏光板１ａ及び第１の波長板２ａを透過した光と、偏光板１ａ及び第２の波長板３ａを透過した光とは、互いに回転方向が異なる円偏光となる。したがって、例えば偏光板１ａ及び第１の波長板２ａを透過した光を右目用の画像の光とし、偏光板１ａ及び第２の波長板３ａを透過した光を左目用の画像の光とすることで、立体画像を表示することが可能である。
【００４１】
しかし、この比較例の場合、第１の波長板２ａ及び第２の波長板３ａを、例えば右目用の画像の表示領域及び左目用の画像表示領域にそれぞれ対応させて、図４Ａに示すように、小片状に成形する必要がある。
第１の波長板２ａ及び第２の波長板３ａが、このような小片であると、これらの波長板を例えば偏光板１ａ上に貼り付ける時に扱いにくく、工程が複雑になりやすい。また、一般的に、１／４波長板の納入時には、１／４波長板の表面に保護フィルムが貼られていることがある。このような場合には、保護フィルムを剥がした後に１／４波長板を実装することになるが、１／４波長板のサイズが小さいと、保護フィルムを剥がす作業が難しくなり、コストが高くなる。
また、このように１／４波長板のサイズが小さいと、その遅相軸の方向を取り違えやすくなるという問題も生じる。
【００４２】
これに対し、本実施形態に係る偏光モジュール１００では、一枚の第１の波長板２及び一枚の第２の波長板３が、複数の画像表示領域Ｒ１、Ｌ１上を覆う（図１、図３参照）ように構成される。すなわち、比較例に比べて、第１の波長板２及び第２の波長板３のサイズが大きくなるので、第１の波長板２及び第２の波長板３のハンドリングが容易になる。
【００４３】
特に、例えばＬＥＤを光源とするような、大画面の表示装置においては、１ドットの画素サイズが数ｍｍの大きさとなる。この場合に、本実施形態の偏光モジュール１００を適用すると、第１の波長板２及び第２の波長板３のサイズが非常に大きくなるためハンドリングが容易となり、特に有効である。
また、本実施形態では、第１の波長板２及び第２の波長板３の主面が、長辺及び短辺を有する長方形となっており、第１の波長板２及び第２の波長板３の向きを外観で区別することが可能である。したがって、その遅相軸方向の区別を容易に行うことができる。
【００４４】
２．第２の実施の形態（１／２波長板と樹脂板とを固着させる例）
図５Ａ〜図５Ｃは、第２の実施形態に係る偏光モジュール２００の構成を示す概略構成図である。図５Ａは、偏光モジュール２００を、一方の主面に垂直な方向（Ｚ軸方向）から見た図であり、図５Ｂは、偏光モジュール２００をＹ軸方向から見た図である。また、図５Ｃは、偏光モジュール２００をＸ軸方向から見た図である。
なお、第１の実施形態（図１参照）と対応する部位には同一符号を付し、重複した説明を避ける。
【００４５】
本実施形態の偏光モジュール２００は、偏光板１と、偏光板１の一方の主面上に配置された複数の第１の波長板２及び第２の波長板３と、複数の第１の波長板２及び第２の波長板３上に配置された複数の第３の波長板４を備える。
また、さらに本実施形態の偏光モジュール２００は、複数の第３の波長板４上に配置された複数の透明な両面粘着テープ７と、両面粘着テープ７上に配置された透明な樹脂板６を備える。
なお、図５Ａでは、説明を簡略化するために、樹脂板６の図示を省略している。
【００４６】
偏光板１の一方の主面上には、複数の第１の波長板２及び複数の第２の波長板３が配置される。第１の波長板２及び第２の波長板３は、偏光板１に対して、例えば光学接着剤、紫外線硬化樹脂、光学弾性樹脂、光学粘着テープ等によって固着される。
この第１の波長板２及び第２の波長板３は、その短辺方向（図５Ａ中のＹ軸方向）に、交互に配置される。また、このとき、第１の波長板２の遅相軸及び第２の波長板３の遅相軸は、第１の実施の形態と同様に、偏光板１の偏光軸に対して、互いに逆方向に４５°傾いて配置される。
【００４７】
また、複数の第３の波長板４は、その短辺方向（図５Ａ中のＸ軸方向）に所定の間隔で配列される。ただし、複数の第３の波長板４の短辺方向が、第１の波長板２及び第２の波長板３の配列方向（短辺方向）と交差する方向に、複数の第３の波長板４は配列される。
このとき、第３の波長板４の遅相軸の方向は、第１の実施の形態と同様に、第１の波長板２または第２の波長板３の遅相軸の方向のどちらか一方と一致する。
【００４８】
本実施形態では、この第３の波長板４上に透明な両面粘着テープ７が配置され、この両面粘着テープ７により、第３の波長板４に対して透明な樹脂板６が固着されるところが第１の実施の形態と異なる。
この場合、第３の波長板４と樹脂板６との間には両面粘着テープ７が介在するので、第３の波長板４と樹脂板６との間に空気層ができるのを抑制できる。
しかし、例えば図５Ａの領域Ｔ５に示すように、第１の波長板２及び第２の波長板３上において、第３の波長板４が配置されない箇所には、第１の波長板２及び第２の波長板３と樹脂板６との間に空気層８（図５Ｂ参照）が存在することになる。
【００４９】
この空気層８が存在すると、第１の波長板２及び第２の波長板３と空気層８との界面、あるいは、樹脂板６と空気層の界面において、光の反射が生じやすくなる。このため、本実施形態では、第１の波長板２及び第２の波長板３上において、第３の波長板４が配置されない領域Ｔ５には、反射防止膜を形成することが好ましい。
この反射防止膜は、例えば上述の領域Ｔ５に対応した開口が設けられたマスク等を介して、第１の波長板２及び第２の波長板３に対してスパッタリングを行うことで形成することができる。
また同様に、樹脂板６の第１の波長板２及び第２の波長板３側の表面に反射防止膜を形成することができる。
【００５０】
このように、本実施形態においても、交互に配列された第１の波長板２及び第２の波長板３（１／４波長板）上において、第１の波長板２及び第２の波長板３の配列方向と交差する方向に、第３の波長板４（１／２波長板）が配列される。
このため、第１の実施形態と同様に、互いに回転方向が異なる円偏光がそれぞれ出射する二つの領域が、互いに直交する二方向（Ｘ軸方向及びＹ軸方向）に交互に配置されることになる。したがって、垂直方向（Ｙ軸方向）の解像度の低下を抑制することが可能である。
また、その他の構成による作用、効果もまた、第１の実施の形態と同様である。
【００５１】
３．第３の実施形態（画像表示装置の例）
図６は、第３の実施形態に係る画像表示装置３００を示す斜視図である。本実施形態の画像表示装置３００には、その画像表示部２１上に、偏光モジュール２２が配設されている。
なお、この画像表示装置３００は、例えば発光素子としてＬＥＤを用いた大画面の画像表示装置であり、例えばビルの屋上や壁面等に設置されるものである。図６では、一例として、ビル２３の屋上に設置された状態を示している。
また、本実施形態の画像表示装置３００は、例えばイベント会場やショールームに設置する等、屋内用途として用いることも可能である。
【００５２】
画像表示部２１は、例えば第１の実施形態において示した表示パネル１０（図２参照）よって構成される。例えば、画像表示部２１では、複数の走査線と、走査線に直交する方向に配設される複数の信号線の交差毎に一つの画素エリアが割り当てられる。また、一つの画素毎に、画素を駆動する例えば半導体装置が配設される。
【００５３】
例えば走査線は、図示しない走査線駆動回路に接続され、走査線駆動回路からのパルス電圧によって半導体装置をオン状態にする。
半導体装置がオン状態になると、輝度情報に応じた映像信号が、信号駆動回路から発光素子に供給される。発光素子が、この映像信号の電流値に応じた輝度で発光することにより、画像が表示される。
また、表示パネル１０の右目用の画像を表示する画素領域及び左目用の画像を表示する画素領域における発光素子には、それぞれ右目用の画像及び左目用の画像に対応した映像信号が信号駆動回路より供給される。
【００５４】
偏光モジュール２２には、例えば第１〜第２の実施形態（図１，図５参照）において示した偏光モジュール１００，２００のいずれかが用いられる。
【００５５】
偏光モジュール１００，２００は、既述のように、第１の波長板２及び第２の波長板３上において、第１の波長板２及び第２の波長板３の配列方向と交差（直交）する方向に、第３の波長板４を配列している。このため、画像表示部２１には、右目用の画像表示領域と左目用の画像表示領域とを直交する二方向において、それぞれ交互に配置することができるので、垂直解像度と水平解像度のバランスをとることができる。したがって、高品質な立体画像を提供することが可能である。
【００５６】
以上、偏光モジュール及び画像表示装置の実施形態について説明した。本技術は上記実施形態にとらわれることなく、特許請求の範囲に記載した本技術の要旨を逸脱しない限りにおいて、考えられる種々の形態を含むものである。
【００５７】
また、本技術は、以下のような構成を取ることもできる。
（１）
偏光板と、
前記偏光板上に配置され、前記偏光板の偏光軸に対して、遅相軸が４５度傾くように配置された複数の第１の１／４波長板と、
前記偏光板上に配置され、前記偏光板の偏光軸に対して、前記第１の１／４波長板の前記遅相軸とは反対方向に遅相軸を４５度傾けて、前記第１の１／４波長板と交互に配置された複数の第２の１／４波長板と、
前記複数の第１の１／４波長板及び前記複数の第２の１／４波長板の配列方向に対して交差する方向に、前記複数の第１の１／４波長板及び前記複数の第２の１／４波長板上に所定の間隔でそれぞれ配列された複数の１／２波長板と、
を含む
偏光モジュール。
（２）
前記複数の１／２波長板上に配置され、光学的等方性を有する透明な樹脂板を備える
（１）に記載の偏光モジュール。
（３）
前記樹脂板は、前記複数の第１の１／４波長板及び前記複数の第２の１／４波長板上において、前記複数の１／２波長板のそれぞれの間に配置された透明両面粘着テープによって、前記複数の第１の１／４波長板及び前記複数の第２の１／４波長板に固着された
（１）または（２）に記載の偏光モジュール。
（４）
前記１／２波長板の前記樹脂板側の主面に反射防止膜が設けられた
（１）〜（３）に記載の偏光モジュール。
（５）
前記樹脂板は、透明両面粘着テープによって、前記複数の１／２波長板に固着された
（１）〜（４）に記載の偏光モジュール。
（６）
前記複数の第１の１／４波長板及び前記複数の第２の１／４波長板上において、前記１／２波長板が配置されない箇所には、反射防止膜が設けられた
（５）に記載の偏光モジュール。
（７）
右目用の画像を表示する第１の画素領域と、左目用の画像を表示する第２の画素領域とが、交差する二方向に交互に配置された表示パネルと、
前記表示パネル上に配置され、偏光板と、前記偏光板上に配置され、前記偏光板上に配置され、前記偏光板の偏光軸に対して、遅相軸が４５度傾くように配置された複数の第１の１／４波長板と、前記偏光板上に配置され、前記偏光板の偏光軸に対して、前記第１の１／４波長板の前記遅相軸とは反対方向に遅相軸を４５度傾けて、前記第１の１／４波長板と交互に配置された複数の第２の１／４波長板と、前記複数の第１の１／４波長板及び前記複数の第２の１／４波長板の配列方向に対して交差する方向に、前記複数の第１の１／４波長板及び前記複数の第２の１／４波長板上に所定の間隔でそれぞれ配列された複数の１／２波長板と、を含み、前記偏光板の前記１／２波長板側とは反対側の表面に前記表示パネルが取り付けられた偏光モジュールと、
を含む
画像表示装置。
（８）
前記画素は、ＬＥＤまたは有機ＥＬ等の自発光素子により構成される
（７）に記載の画像表示装置。
（９）
前記偏光モジュールの前記第２の１／４波長板と前記１／２波長板とが重なる領域と、前記第１の１／４波長板上において、前記１／２波長板が配置されない領域と、に対向して、前記表示パネルの前記第１の画素領域が配置され、前記偏光モジュールの前記第１の１／４波長板と前記１／２波長板とが重なる領域と、前記第２の１／４波長板上において、前記１／２波長板が配置されない領域と、に対向して、前記表示パネルの前記第２の画素領域が配置される
（７）または（８）に記載の画像表示装置。
【符号の説明】
【００５８】
１・・・偏光板、１ａ・・・偏光板、２・・・第１の波長板、２ａ・・・第１の波長板、３・・・第２の波長板、３ａ・・・第２の波長板、４・・・第３の波長板、５・・・両面粘着テープ、６・・・樹脂板、６ａ・・・樹脂板、７・・・両面粘着テープ、８・・・空気層、１０・・・表示パネル、１１・・・画素、２１・・・画像表示部、２２・・・偏光モジュール、２３・・・ビル、１００，１１０，２００・・・偏光モジュール、３００・・・画像表示装置
【図１】
2013019924.tif 000003
【図２】
2013019924.tif 000004
【図３】
2013019924.tif 000005
【図４】
2013019924.tif 000006
【図５】
2013019924.tif 000007
【図６】
2013019924.tif 000008